(57)【特許請求の範囲】
【請求項１】
内面が光反射性を有するケースと、
前記ケース内における長手方向の後端部に取り付けられ、光源光軸が前記ケースの長手方向に延出された光源と、
前記ケースの内底面に対して間隙を空けて配置されると共に、前記光源の後方まで延出されたレンズと、
前記ケース内にて前記光源の前方側に対向して配置され、前記光源の放射光を、前記光源の斜め後方に向けて反射するのと同時に、前記レンズに向けて反射する光反射部と
を備えた照明装置において、
前記光反射部の光反射面は、前記ケースの短手方向にて前記光源光軸から離れるほど、前記光源光軸方向にて前記光源に近づくように傾斜する傾斜面である照明装置。
【請求項２】
内面が光反射性を有するケースと、
前記ケース内における長手方向の後端部に取り付けられ、光源光軸が前記ケースの長手方向に延出された光源と、
前記ケースの内底面に対して間隙を空けて配置されると共に、前記光源の後方まで延出されたレンズと、
前記ケース内にて前記光源の前方側に対向して配置され、前記光源の放射光を、前記光源の斜め後方に向けて反射するのと同時に、前記レンズに向けて反射する光反射部と
を備えた照明装置において、
前記光反射部は第１部材および第２部材を備え、
前記第１部材および前記第２部材は前記光源光軸に対して対称であり、前記第１部材と前記第２部材との間に空けられた間隙を前記光源光軸が通るように配置されている照明装置。
【請求項３】
前記ケースは略直方体箱状で開口部を有し、
前記レンズは前記ケースの開口部に嵌合され、
前記光源光軸は、前記ケースと前記レンズと前記光反射部とに遮られることなく、前記ケースと前記レンズとの間隙から成る空間を通るように配置されている、
請求項１または請求項２に記載の照明装置。
【請求項４】
前記光反射部は前記ケースの内底面に接続され、
前記ケースの内底面からの前記光反射部の高さは、前記ケースと前記レンズとの間隙の略半分である、
請求項１〜３のいずれか一項に記載の照明装置。
【発明の詳細な説明】
【技術分野】
【０００１】
本発明は照明装置に関するものである。
【背景技術】
【０００２】
特許文献１には、光源と該光源からの光が導入される導光体とを備え、前記導光体の上面側に形成された収容部内に前記光源が収容され、前記導光体の下面の中で前記光源及びその光軸の直下から外れた部分において、前記光源の斜め前方に位置する領域から、前記光源の側方に位置する領域と、前記光源の斜め後方に位置する領域とに亘って発光部が形成され、前記導光体が拡散材を含有する発光装置が開示されている。
【先行技術文献】
【特許文献】
【０００３】
【特許文献１】特開２００７−１８５９８０号公報
【発明の概要】
【発明が解決しようとする課題】
【０００４】
特許文献１の技術では、光源の側方に位置する領域に形成された発光部の分だけ導光体の幅が広くなるため、発光装置の小型化が阻害されるという問題がある。
また、光源の斜め後方に位置する領域まで発光部が形成されているものの、導光体内において光源の側方から斜め後方へは光が回り込み難いことから、導光体の光放射面全体をムラ無く均一に発光させることが難しいという問題がある。
特許文献１には、拡散材を用いて導光体内の光の拡散を促進させることにより、発光部の全体に亘って輝度差が少なく十分な明るさの光を放射させることが記載されている。
しかし、導光体に拡散材を含有させると導光距離による光の減衰が大きくなるため、拡散材を用いてもなお、導光体の光放射面全体をムラ無く均一に発光させることは困難である。
【０００５】
本発明は前記問題を解決するためになされたものであって、その目的は、小型化が可能であると共に、光放射面全体をムラ無く均一に発光させることが可能な照明装置を提供することにある。
【課題を解決するための手段】
【０００６】
本発明者らは前記課題を解決するために鋭意検討を重ねた結果、下記のように本発明の各局面に想到した。
【０００７】
＜第１局面＞
第１局面は、
内面が光反射性を有するケースと、
前記ケース内における長手方向の後端部に取り付けられ、光源光軸が前記ケースの長手方向に延出された光源と、
前記ケースの内底面に対して間隙を空けて配置されると共に、前記光源の後方まで延出されたレンズと、
前記ケース内にて前記光源の前方側に対向して配置され、前記光源の放射光を、前記光源の斜め後方に向けて反射するのと同時に、前記レンズに向けて反射する光反射部とを備えた照明装置である。
【０００８】
第１局面によれば、前記した小型化が阻害されるという問題（光源の側方に位置する領域に形成された発光部の分だけ導光体の幅が広くなる）がある特許文献１の技術に比べて、照明装置の短手方向の幅を小さくすることが可能であり、照明装置の小型化を図ることができる。
【０００９】
また、第１局面では、ケースとレンズとに間隙が空けられているため、光源から光源光軸方向に放射された放射光が、ケースとレンズとの間隙全体に広がりながら、ケースの内面によりレンズに向けて反射され、レンズの光放射面から照明装置の外部へ放射される。
そして、光反射部を備えるため、光源の斜め後方へも放射光を容易に回り込ませることが可能になり、光源の前方側から後方側までレンズの光放射面全体をムラ無く均一に発光させることができる。
その結果、ケースおよびレンズの長手方向に沿った細長形状の光を照明装置から放射できる。
【００１０】
＜第２局面＞
第２局面は、第１局面において、前記光反射部の光反射面は、前記ケースの短手方向にて前記光源光軸から離れるほど、前記光源光軸方向にて前記光源に近づくように傾斜する傾斜面である。
第２局面では、光源から放射状に放出される光を、レンズの長手方向に沿って光源の斜め後方へ反射させることが可能になり、第１局面の前記作用・効果が確実に得られる光反射部を実現することができる。
【００１１】
＜第３局面＞
第３局面は、第１局面または第２局面において、
前記ケースは略直方体箱状で開口部を有し、
前記レンズは前記ケースの開口部に嵌合され、
前記光源光軸は、前記ケースと前記レンズと前記光反射部とに遮られることなく、前記ケースと前記レンズとの間隙から成る空間を通るように配置されている。
【００１２】
第３局面では、光源の放射光のうち光量の多い光源光軸上の光がケースとレンズとの間隙から成る空間内を進行するため、特許文献１のように放射光が導光体内を進行する場合に比べて、光の減衰が小さくなることから、レンズの光放射面における光源より離れた領域から放射される光量を多くすることが可能になり、照明装置の発光効率を高めることができる。
【００１３】
＜第４局面＞
第４局面は、第１〜第３局面において、
前記光反射部は前記ケースの内底面に接続され、
前記ケースの内底面からの前記光反射部の高さは、前記ケースと前記レンズとの間隙の略半分である。
【００１４】
第４局面では、光源の放射光を光反射部が過剰に遮るのを回避することが可能になり、光源の斜め後方側へ十分な光量の光を放射することと、光反射部の前方側へ十分な光量の光を放射することとが両立されるため、第１局面の前記作用・効果を更に確実に得ることができる。
【００１５】
＜第５局面＞
第５局面は、第１〜第４局面において、
前記光反射部は第１部材および第２部材を備え、
前記第１部材および前記第２部材は前記光源光軸に対して対称であり、前記第１部材と前記第２部材との間に空けられた間隙を前記光源光軸が通るように配置されている。
【００１６】
第５局面では、光源の放射光のうち光源光軸に沿って進行する光が、光反射部の第１部材と前記第２部材との間隙を通過するため、光源の放射光を光反射部が過剰に遮ることが無くなり、第４局面の前記作用・効果を更に確実に得ることができる。
【図面の簡単な説明】
【００１７】
【図１】図１（Ａ）は、本発明を具体化した一実施形態の照明装置１０を上方側から見た斜視図。図１（Ｂ）は照明装置１０を下方側から見た斜視図。
【図２】照明装置１０を上方側から見た分解斜視図。
【図３】照明装置１０のケース１１を下方・後方側から見た斜視図。
【図４】ケース１１を下方・前方側から見た斜視図。
【図５】ケース１１に光源部３０を取付固定した状態で下方・前方側から見た斜視図。
【図６】図６（Ａ）は照明装置１０の縦断面の端面図（図１（Ａ）に示すＸ１−Ｘ１矢示断面の端面図）。図６（Ｂ）は照明装置１０の縦断面の端面図（図１（Ａ）に示すＸ２−Ｘ２矢示断面の端面図）。
【図７】照明装置１０の縦断面の端面図（図６（Ａ）の要部拡大図）。
【図８】照明装置１０の縦断面の端面図（図１（Ａ）に示すＹ−Ｙ矢示断面の端面図）。
【発明を実施するための形態】
【００１８】
以下、本発明を具体化した一実施形態について図面を参照しながら説明する。尚、各図面では、説明を分かり易くするために、構成部材の寸法形状および配置箇所を誇張して模式的に図示してあり、各構成部材の寸法形状および配置箇所が実物とは必ずしも一致しないことがある。
【００１９】
図１〜図８に示すように、本実施形態の照明装置１０は、ケース１１（本体部１２、開口部１２ａ、内底面１２ｂ、前端壁部１２ｃ、外部取付部１３、光源取付部１４、光反射部１５，１６、光反射面１５ａ，１６ａ）、レンズ２０（光放射面２０ａ、側壁部２０ｂ、前端部２０ｃ、内底面２０ｄ、内角部２０ｅ、係止突起２１）、光源部３０（コネクタ部３１、光源３２、光源光軸Ｌ）、空間Ｓなどを備え、車両室内用照明装置（例えば、インサイドハンドルランプ、マップランプ、ルームランプ、足下用ランプなど）として用いられる。
【００２０】
ケース（カバー、ハウジング）１１は全体として略直方体箱状であり、本体部１２（開口部１２ａ、内底面１２ｂ、前端壁部１２ｃ）、外部取付部１３ａ，１３ｂ、光源取付部１４、光反射部１５，１６（光反射面１５ａ，１６ａ）などを備え、ケース１１の内面は光反射性を有する。
本体部１２は、下面側全体が開口された開口部１２ａを有すると共に、後端面側が開口された中空の略直方体箱状である。
本体部１２の内底面１２ｂは、本体部１２の短手方向に沿って僅かに凹状に湾曲した湾曲面に形成されており、本体部１２の長手方向には平坦に形成されている。
本体部１２の前端面側は、内底面１２ｂに対して垂直に立設された前端壁部１２ｃによって閉止されている。
【００２１】
外部取付部１３はＬ字形板から成る直角鈎状であり、本体部１２の長手方向の両端部近傍にて一方の側壁部外面から開口部１２ａに向けて突設されている。
光源取付部１４は、下面側および前後端面側が開口された縦断面略コ字状であり、本体部１２の後端面側に接続されている。
光反射部１５，１６は、本体部１２内の後端部近傍にて、内底面１２ｂおよび内側面に接続されるように立設されている。
光反射部１５，１６における光源取付部１４に対向した部分全体が平坦な光反射面１５ａ，１６ａであり、光反射面１５ａ，１６ａは、本体部１２の開口部１２ａおよび後端面に対して鋭角を成す傾斜面になるように配置形成されている。
【００２２】
レンズ２０は中空の縦断面略コ字状であり、レンズ２０の下面側全体が平坦な光放射面（発光面）２０ａであり、レンズ２０の短手方向の両側には長手方向に沿って側壁部２０ｂが形成され、両側壁部２０ｂの外面から３個ずつ係止突起２１が突設されている。
レンズ２０の前端部２０ｃにおいて、レンズ２０の底面部の肉厚は前端に近づくほど厚くなるように形成されており、レンズ２０の内底面２０ｄはレンズ２０の長手方向に沿って凹状の湾曲面になっている。
レンズ２０の長手方向において、前端部２０ｃを除く内底面２０ｄは平坦に形成されており、前端部２０ｃを除く底面部の肉厚は均一に形成されている。
レンズ２０の内底面２０ｄと内側面とが接続された内角部２０ｅは、アール形状になっている。
【００２３】
光源部３０はコネクタ部３１および光源３２を備える。
コネクタ部３１は後端面側（図示略）が開口されており、コネクタ部３１内には外部接続端子（図示略）が設けられて雄側コネクタが構成されている。
光源３２は中心軸に沿った光源光軸Ｌを有する砲弾状パッケージのＬＥＤ（Light Emitting Diode）であり、コネクタ部３１の前端部に取付固定されており、コネクタ部３１内で外部接続端子に対して電気的に接続されている。
【００２４】
［照明装置１０の取付構造］
照明装置１０を組み立てるには、まず、ケース１１の光源取付部１４内に光源部３０を嵌合させて取付固定し（図５，図６を参照）、次に、ケース１１の下面側からレンズ２０を嵌合させて取付固定する（図１，図６〜図８を参照）。
そして、照明装置１０を車両室内の被着部材（例えば、インサイドハンドルベゼルなど）に対して、ケース１１の外部取付部１３を係止させて取付固定する。
その後、光源部３０のコネクタ部３１に対して、自動車のワイヤハーネスの雌側コネクタ（図示略）を挿入固定し、コネクタ部３１内の外部接続端子に雌側コネクタを電気的に接続することにより、自動車から光源部３０へ電源を供給して光源３２を点灯させる。
【００２５】
照明装置１０を組み立てた状態では、ケース１１の開口部１２ａからレンズ２０の光放射面２０ａが露出され、開口部１２ａの外周縁部と光放射面２０ａとが面一になっている（図１，図６，図８を参照）。
また、レンズ２０の両側壁部２０ｂの外面がケース１１の両側壁部内面に当接すると共に、レンズ２０の前端部外面がケース１１の前端壁部１２ｃの内面に当接し、レンズ２０の係止突起２１が、ケース１１の本体部１２および光源取付部１４の内側面に係止されることにより、ケース１１に対してレンズ２０が脱落不能に取付固定されている。
【００２６】
ケース１１およびレンズ２０は中空であり、ケース１１の内底面１２ｂとレンズ２０の内底面２０ｄとの間には間隙が空けられ、その間隙から成る空間Ｓが設けられている。
ケース１１の中心軸と光源部３０の光源３２の光源光軸Ｌとは合致し、ケース１１の長手方向に延出された光源光軸Ｌは、ケース１１とレンズ２０と光反射部１５，１６とに遮られることなく、空間Ｓを通るように配置されている。
レンズ２０は光源３２の後方まで延出され、レンズ２０の光放射面２０ａは、光源３２およびコネクタ部３１の前方部分の下方までを覆うように配置形成されている。
【００２７】
光源３２の前端部は、ケース１１の光反射部１５，１６の光反射面１５ａ，１６ａに対向して近接配置されている。
各光反射部１５，１６は光源光軸Ｌに対して対称であり、各光反射部１５，１６間に空けられた間隙を光源光軸Ｌが通るように配置されている（図１，図５〜図７を参照）。
ケース１１の内底面１２ｂからの光反射部１５，１６の高さは、ケース１１の内底面１２ｂとレンズ２０の内底面２０ｄとの間隙の略半分である。
光反射部１５，１６の光反射面１５ａ，１６は平坦面であり、レンズ２０の光放射面２０ａおよび光源光軸Ｌに対して鋭角を成す傾斜面になるよう、各光反射部１５，１６はハ字状に配置形成されている。
【００２８】
［照明装置１０の構成部材］
ケース１１は、十分な強度を有する樹脂材料の射出成形により一体形成されている。
光反射部１５，１６の光反射面１５ａ，１６を含め、ケース１１の内面に光反射性を付与するには、以下の方法などがある。
［ア］ケース１１の樹脂材料に光反射性の高い白色顔料（例えば、酸化チタン、酸化アルミニウムなど）を添加する方法。
［イ］光反射性の高い白色顔料や金属材料（例えば、クロム、インジウム、アルミニウム、銀、金およびこれら金属材料の合金など）の粉末を含む塗料を塗装する方法。
［ウ］ＰＶＤ（Physical Vapor Deposition）法またはメッキ法により光反射性の高い金属材料の光反射性薄膜を形成する方法。
【００２９】
レンズ２０は、透光性を有する樹脂材料の射出成形により一体形成されており、その樹脂材料には、例えば、ＰＭＭＡ（Polymethyl methacrylate）、ＰＣ（Polycarbonate）、ＰＣ／ＡＢＳ（Acrylonitrile Butadiene Styrene）アロイ、ＰＥＴ（Polyethylene Terephthalate）などがある。
レンズ２０の樹脂材料のうち、ＰＣは安価で射出成形性および耐候性に優れて透明度が高いため最も好適である。
また、レンズ２０の樹脂材料に光拡散性（光散乱性）の高い材料（例えば、シリカ、酸化チタン、酸化アルミニウムなど）の微粒子を光拡散材として添加し、レンズ２０に光拡散材を含有させてもよい。
この場合には、光拡散材によってレンズ２０の光拡散性が高められるため、レンズ２０の光放射面２０ａ全体を更にムラ無く均一に発光させることができる。
そして、レンズ２０に光拡散材を含有させると、光反射部１５，１６などの照明装置１０の内部構造が、光源３２の非点灯時にレンズ２０を通して視認され難くなるため、照明装置１０の見栄えを良くして美観を向上させることができる。
【００３０】
光源３２は、ＬＥＤに限らず、十分な光量が得られるならばどのような光源を用いてもよく、その光源には、例えば、半導体発光素子（例えば、ＥＬ（Electro Luminescence）、ＬＤ（Laser Diode）など）、電球などがある。
【００３１】
［実施形態の作用・効果］
本実施形態の照明装置１０によれば、以下の作用・効果を得ることができる。
【００３２】
［１］照明装置１０は、内面が光反射性を有するケース１１と、ケース１１内における長手方向の後端部に取り付けられて光源光軸Ｌがケース１１の長手方向に延出された光源３２と、ケース１１の内底面１２ｂに対して間隙を空けて配置されると共に光源３２の後方まで延出されたレンズ２０と、ケース１１内にて光源３２の前方側に対向して配置された光反射部１５，１６とを備える。
図６（Ａ）の矢印αおよび図７の矢印α，βに示すように、光反射部１５，１６は、光源３２の放射光を光源３２の斜め後方に向けて反射するのと同時に、レンズ２０に向けて反射する。
【００３３】
本実施形態では、前記した小型化が阻害されるという問題（光源の側方に位置する領域に形成された発光部の分だけ導光体の幅が広くなる）がある特許文献１の技術に比べて、照明装置１０の短手方向の幅を小さくすることが可能であり、照明装置１０の小型化を図ることができる。
【００３４】
また、照明装置１０では、ケース１１とレンズ２０とに間隙が空けられているため、光源３２から光源光軸Ｌ方向に放射された放射光が、ケース１１とレンズ２０との間隙から成る空間Ｓ全体に広がりながら、ケース１１の内面（内底面１２ｂおよび内側面）によりレンズ２０に向けて反射され、レンズ２０の光放射面２０ａから照明装置１０の外部へ放射される。
そして、照明装置１０は光反射部１５，１６を備えるため、光源３２の斜め後方へも放射光を容易に回り込ませることが可能になり、光源３２の前方側から後方側までレンズ２０の光放射面２０ａ全体をムラ無く均一に発光させることができる。
その結果、ケース１１およびレンズ２０の長手方向に沿った細長形状の光を照明装置１０から放射できる。
【００３５】
［２］光反射部１５，１６の光反射面１５ａ，１６は平坦面であり、レンズ２０の光放射面２０ａおよび光源光軸Ｌに対して鋭角を成す傾斜面になるよう、各光反射部１５，１６はハ字状に配置形成されている。
換言すれば、光反射部１５，１６の光反射面１５ａ，１６ａは、ケース１１の短手方向にて光源光軸Ｌから離れるほど、光源光軸Ｌ方向にて光源３２に近づくように傾斜する傾斜面である。
このように光反射面１５ａ，１６ａを構成すれば、光源３２から放射状に放出される光を、レンズ２０の長手方向に沿って光源３２の斜め後方へ反射させることが可能になり、前記［１］の作用・効果が確実に得られる光反射部１５，１６を実現することができる。
【００３６】
［３］ケース１１は略直方体箱状で本体部１２の開口部１２ａを有し、その開口部１２ａにレンズ２０が嵌合される。そして、光源光軸Ｌは、ケース１１とレンズ２０と光反射部１５，１６とに遮られることなく、ケース１１とレンズ２０との間隙から成る空間Ｓを通るように配置されている。
従って、光源３２の放射光のうち光量の多い光源光軸Ｌ上の光がケース１１とレンズ２０との間隙から成る空間Ｓ内を進行するため、特許文献１のように放射光が導光体内を進行する場合に比べて、光の減衰が小さくなることから、レンズ２０の光放射面２０ａにおける光源３２より離れた領域から放射される光量を多くすることが可能になり、照明装置１０の発光効率を高めることができる。
【００３７】
［４］図７に示すように、光反射部１５，１６はケース１１の本体部１２の内底面１２ｂに接続され、その内底面１２ｂからの光反射部１５，１６の高さＨは、ケース１１の本体部１２の内底面１２ｂとレンズ２０の内底面２０ｄとの間隙Ｒの略半分（＝１／２）である（Ｈ≒Ｒ／２）。
そのため、光源３２の放射光を光反射部１５，１６が過剰に遮るのを回避することが可能になり、光源３２の斜め後方側へ十分な光量の光を放射することと、光反射部１５，１６の前方側へ十分な光量の光を放射することとが両立されるため、前記［１］の作用・効果を更に確実に得ることができる。
【００３８】
前記間隙Ｒに対する前記高さＨの比の範囲は１／３〜２／３が適当であり、望ましくは１／３〜１／２、特に望ましくは１／２である。
前記間隙Ｒに対する前記高さＨの比がこの範囲より小さくなると、光反射部１５，１６の光反射面１５ａ，１６ａの面積が過剰に小さくなるため、光反射面１５ａ，１６ａの反射光の光量も少なくなり、光源３２の斜め後方側へ十分な光量の光を放射することが困難になる。
【００３９】
前記間隙Ｒに対する前記高さＨの比がこの範囲より大きくなると、光反射部１５，１６の光反射面１５ａ，１６ａの面積が過剰に大きくなるため、光源３２の放射光を光反射部１５，１６が過剰に遮り易くなり、光源３２の前方側へ十分な光量の光を放射することが困難になる。
また、前記間隙Ｒに対する前記高さＨの比がこの範囲より大きくなると、光反射部１５，１６の先端がレンズ２０に近づくことで、光源３２の非点灯時にレンズ２０を通して光反射部１５，１６が視認され易くなり、照明装置１０の見栄えが悪くなって美観が損なわれるおそれがある。
【００４０】
［５］図５〜図７に示すように、照明装置１０は２個の光反射部１５，１６（第１部材、第２部材）を備え、各光反射部１５，１６は光源光軸Ｌに対して対称であり、各光反射部１５，１６間に空けられた間隙を光源光軸Ｌが通るように配置されている。
そのため、光源３２の放射光のうち光源光軸Ｌに沿って進行する光が、光反射部１５，１６の間隙を通過するため、光源３２の放射光を光反射部１５，１６が過剰に遮ることが無くなり、前記［４］の作用・効果を更に確実に得ることができる。
【００４１】
［６］図６に示すように、レンズ２０の前端部２０ｃにおいて、レンズ２０の底面部の肉厚は前端に近づくほど厚くなるように形成され、レンズ２０の内底面２０ｄはレンズ２０の長手方向に沿って凹状の湾曲面になっている。
従って、レンズ２０の前端に近づくほど、光源３２の放射光がレンズ２０の内底面２０ｄに入射し易くなり、図６（Ａ）の矢印γに示すように屈折することで、レンズ２０の光放射面２０ａから照明装置１０の前方側のより遠方へ光を放射させることが可能になり、ケース１１およびレンズ２０の長手方向に沿った広い箇所を照明することができる。
【００４２】
［７］図２および図８に示すように、レンズ２０は縦断面略コ字状であり、レンズ２０の短手方向の両側には長手方向に沿って側壁部２０ｂが形成され、側壁部２０ｂはケース１１に嵌合されている。
そのため、側壁部２０ｂを設けることによってレンズ２０の強度を高めることができる。
また、レンズ２０の側壁部２０ｂおよびケース１１の内側面により、光源３２の放射光を乱反射または拡散透過させることが可能になり、前記［１］の作用・効果を更に確実に得ることができる。
【００４３】
［８］図８に示すように、ケース１１の本体部１２の内底面１２ｂは、本体部１２の短手方向に沿って僅かに凹状に湾曲した湾曲面に形成されているため、光源３２の放射光を内底面１２ｂによりレンズ２０に向けて効率的に反射させることが可能になり、前記［１］の作用・効果を更に確実に得ることができる。
【００４４】
［９］図８に示すように、レンズ２０の内底面２０ｄと内側面とが接続された内角部２０ｅは、アール形状になっている。
内角部２０ｅが直角形状の場合には、レンズ２０の厚みの変化が急になるため、レンズ２０の光放射面２０ａに内角部２０ｅの直線状の影が映るという欠点があるが、照明装置１０では内角部２０ｅがアール形状であるため前記欠点を回避することができる。
【００４５】
＜別の実施形態＞
本発明は前記実施形態に限定されるものではなく、以下のように具体化してもよく、その場合でも、前記実施形態と同等もしくはそれ以上の作用・効果を得ることができる。
【００４６】
［Ａ］光反射部１５，１６の光反射面１５ａ，１６ａは、前記［１］の作用・効果を確実に得られるならば、平坦面に限らず、曲面状に形成してもよい。
【００４７】
［Ｂ］レンズ２０の内面または光放射面２０ａの少なくともいずれか一方に微細な凹凸加工（例えば、シボ加工、ブラスト加工など）を施してもよい。
この場合には、微細な凹凸加工によってレンズ２０の光拡散性が高められるため、レンズ２０の光放射面２０ａ全体を更にムラ無く均一に発光させることができる。
尚、レンズ２０の光放射面２０ａに凹凸加工を施した場合には、照明装置１０の外部から光放射面２０ａに外力が印加されると凹凸加工が傷付き易いという欠点がある。それに対して、レンズ２０の内面に凹凸加工を施した場合には、前記欠点を回避することができる。
【００４８】
＜実施形態の記載に基づく付記事項＞
前記実施形態および別の実施形態から把握できる技術的思想を以下に追記する。
【００４９】
［付記１］前記レンズの前端部にて、前記レンズの底面部の肉厚は前端に近づくほど厚くなるように形成され、前記レンズの内底面は前記レンズの長手方向に沿って凹状の湾曲面になっている、第１〜第５局面に記載の照明装置。
付記１では、レンズの前端に近づくほど屈折率が高くなるため、レンズの光放射面から照明装置の前方側のより遠方へ光を放射させることが可能になり、ケースおよびレンズの長手方向に沿った広い箇所を照明することができる。
【００５０】
［付記２］前記レンズは縦断面略コ字状であり、前記レンズの短手方向の両側には長手方向に沿って側壁部が形成され、前記側壁部は前記ケースに嵌合されている、第１〜第５局面または付記１に記載の照明装置。
付記２では、側壁部を設けることによってレンズの強度を高めることができる。
また、付記２では、レンズの側壁部およびケースの内側面によって光源の放射光を乱反射させることが可能になり、第１局面の前記作用・効果を更に確実に得ることができる。
【００５１】
本発明は、前記各局面、前記実施形態、前記付記事項の記載に何ら限定されるものではない。前記各局面、前記実施形態、前記付記事項および特許請求の範囲の記載を逸脱せず、当業者が容易に想到できる範囲で種々の変形態様も本発明に含まれる。本明細書の中で明示した公報などの内容は、その全ての内容を援用によって引用することとする。
【符号の説明】
【００５２】
１０…照明装置
１１…ケース
１２…本体部
１２ａ…開口部
１２ｂ…内底面
１５…光反射部（第１部材）
１６…光反射部（第２部材）
１５ａ，１６ａ…光反射面
２０…レンズ
２０ａ…光放射面
２０ｂ…側壁部
２０ｃ…前端部
２０ｄ…内底面
２０ｅ…内角部
３０…光源部
３２…光源
Ｌ…光源光軸
Ｓ…空間
【図１】
0006579327.tif 000002
【図２】
0006579327.tif 000003
【図３】
0006579327.tif 000004
【図４】
0006579327.tif 000005
【図５】
0006579327.tif 000006
【図６】
0006579327.tif 000007
【図７】
0006579327.tif 000008
【図８】
0006579327.tif 000009